(57)【特許請求の範囲】
【請求項１】
ネック部により囲まれた開口部を有する容器（６０）を密封するための密閉蓋（１０、１１０、４１０）であって、前記蓋は、
ａ）前記ネック部上に外側から嵌め合わせるために形状付けおよび寸法付けされた内側スカート部（２０）を有してなり、前記内側スカート部は上側部分（２２）および下側部分を有し、
ｂ）前記内側スカート部に一体である取り付け手段を有してなり、前記取り付け手段は前記ネック部上に前記内側スカート部を固定するために前記ネック部上に設けられた対応する取り付け手段と協働するものであり、
ｃ）上側部分、下側部分、および外面を有する外側スカート部（３０、１３０、４３０）を有してなり、前記外側スカート部は前記内側スカート部の上方でこれから所定の距離で延在してこれらの間に隙間（２４）を規定しており、前記外側スカート部は所定の厚さを有するとともに周辺横壁（２７）により前記内側スカート部の上側部分に接続された上側部分を有しており、
ｄ）前記容器の開口部を閉じるために形状付けおよび寸法付けされたカバー（５０、１５０、４５０）を有しており、前記カバーはヒンジ部（５４）により前記外側スカート部に取り付けられた周辺縁部（５２）を有するとともに前記周辺壁の上方において前記ヒンジ部の回りで上方および下方に折り曲げ自在であり、
ｅ）前記外側スカート部の上側部分に一体である一方の部分（３２）および前記カバーに一体である他方の部分（５６）を有し、前記カバーが前記容器のネック部の上方で下方に折り曲げられて閉じられた位置においてカバーを取り外し自在にロックするための、スナップ手段（３１、１３１）を有してなり、
前記外側スカート部（３０、１３０、４３０）および周辺壁（２７）が、弾性的に可撓性である材料から作られ、また前記外側スカート部の外面上に外部圧力が加わったときに変形できるものであり、
前記スナップ手段（３１、１３１）が前記カバーのヒンジ部（５４）に対して対向する位置で蓋上に配置されており、および
外側スカート部（３０）の上側部分に一体である前記スナップ手段の一方の部分（３２）は、前記カバーが閉じた位置にあるときに前記スナップ手段の他方の部分（５６）と係合する態様で、前記周辺横壁（２７）の上方に延在するとともにヒンジ部（５４）に向かって突出しており、
前記スナップ手段（３１、１３１）の下方で前記外側スカート部（３０、１３０、４３０）の外面上に外部圧力が加えられたときに、前記外側スカート部が横方向および垂直方向に変形して、スナップ手段の一方の部分（３２）が外方に旋回し、スナップ手段の他方の部分（５６）と係合解除して、前記カバー（５０、１５０、４５０）を外すとともに、前記カバーを開いて前記ヒンジ部（５４）の回りで軸支回転させるために押圧する、ことを特徴とする密閉蓋。
【請求項２】
前記外側スカート部が管状の形状である、ことを特徴とする特許請求の範囲第１項記載の密閉蓋。
【請求項３】
前記カバー（５０）を外すために外部圧力が加えられる２つの対向する位置に印を付けるために、前記スナップ手段（３１）および前記ヒンジ部（５４）の下方で前記外側スカート部（３０）の外面上に設けられた手段をさらに有している、ことを特徴とする特許請求の範囲第２項記載の密閉蓋。
【請求項４】
前記スナップ手段が周辺的に離間した少なくとも２つの別々の構成要素のセット（４３２′、４３２′′）を有してなり、またカバー（４５０）を外す際に外部圧力が加えられる適切な場所の位置を印付けするために、前記蓋（４１０）が、前記外側スカート部の外面上で前記２つの別々の構成要素のセットの間に設けられた手段（４３６）をさらに有してなる、ことを特徴とする特許請求の範囲第２項記載の密閉蓋。
【請求項５】
前記カバー（５０）の周辺縁部（５２）と前記外側スカート部（３０）の上側部分とが、前記カバー（５０）が閉じた位置にロックされたときに平滑な外面を一緒に規定するように形状付けされており、これにより、前記カバーを開くために前記カバーを握ったり把持することが防止される、ことを特徴とする特許請求の範囲第１項から第４項のいずれかに記載の密閉蓋。
【請求項６】
閉じた位置における前記カバー（５０）の周縁縁部（５２）と前記外側スカート部（３０）とが一緒にジョイント部を規定し、また前記外側スカート部（３０）の上側部分が前記ジョイント部を覆うために上方に延在している、ことを特徴とする特許請求の範囲第１項から第４項のいずれかに記載の密閉蓋。
【請求項７】
前記周辺横壁（２７）の一部分（２６）が切り取られており、前記一部分（２６）は前記ヒンジ部および前記スナップ手段の両方から実質的に同じ距離で設けられている、ことを特徴とする特許請求の範囲第１項から第６項のいずれかに記載の密閉蓋。
【請求項８】
前記外側スカート部（１３０）は前記外側スカート部の変形を容易にするために切り取られた部分（１３６）を有しており、前記切り取られた部分は前記ヒンジ部（１５４）および前記スナップ手段（１３１）の両方から実質的に同じ距離で周辺的に設けられている、ことを特徴とする特許請求の範囲第１項から第７項のいずれかに記載の密閉蓋。
【請求項９】
前記内側および外側スカート部の間に放射状の補強リブをさらに有してなり、前記リブが前記ヒンジ部および前記スナップ手段の間に延在する軸に対して約４５°の角度で延在する直線に沿って設けられている、ことを特徴とする特許請求の範囲第１項から第８項のいずれかに記載の密閉蓋。
【請求項１０】
前記内側スカート部（２０、３２０）に一体である取り付け手段（２２）がスナップ結合部から構成される、ことを特徴とする特許請求の範囲第１項から第９項のいずれかに記載の密閉蓋。
【請求項１１】
前記蓋が、成形されたプラスチックから作られたものである、ことを特徴とする特許請求の範囲第１項から第１０項のいずれかに記載の密閉蓋。
【請求項１２】
前記カバー（５０）が、前記カバー（５０）が閉じた位置にあるときに前記容器（６０）の開口部内に嵌め合せされるように寸法付けされた案内用および密封用のリング（５８）が設けられた内面を有している、ことを特徴とする特許請求の範囲第１項から第１０項のいずれかに記載の密閉蓋。
【請求項１３】
前記内側スカート部には、内側に突出して前記容器の開口部を部分的に閉塞する仕切り要素（１２８）が設けられており、前記要素はオリフィス（１２９）を有してなり、また前記カバー（１５０）は、前記カバーが閉じた位置にあるときに前記仕切り要素の前記オリフィスを密閉するために形状付けされ寸法付けされた密封機構（１５１）が設けられた内面を有している、ことを特徴とする特許請求の範囲第１２項記載の密閉蓋。
【請求項１４】
密閉蓋（５１０）と、開口部を有する容器とからなる蓋付き容器であり、前記密閉蓋（５１０）が、
ａ）前記開口部を囲む領域において前記容器に一体に作られた内側スカート部（５２０）を有してなり、前記内側スカート部は上側部分および下側部分を有し、
ｂ）上側部分、下側部分、および外面を有する外側スカート部（５３０）を有してなり、前記外側スカート部は内側スカート部の上方でこれらの間に隙間を規定するためにこれから所定の距離で延在しており、前記外側スカート部は所定の厚さを有するとともに周辺横壁により前記内側スカート部の上側部分に接続された上側部分を有しており、
ｃ）前記容器の前記開口部を閉じるために形状付けおよび寸法付けされたカバー（５５０）を有しており、前記カバーはヒンジ部により前記外側スカート部に取り付けられた周辺縁部を有するとともに前記周辺壁の上方において前記ヒンジ部の回りで上方および下方に折り曲げ自在であり、および
ｄ）前記外側スカート部の上側部分に一体である一方の部分と前記カバーに一体である他方の部分とを有し、前記カバーが前記容器のネック部の上方で下方に折り曲げられたときに前記カバーを閉じた位置において取り外し自在にロックするための、スナップ手段（５３１）を有してなり、
前記外側スカート部（５３０）および前記周辺壁が、弾性的に可撓性である材料から作られ、また前記外側スカート部の外面上に外部圧力が加わったときに変形できるものであり、
前記外側スカート部の上側部分に一体である前記スナップ手段（５３１）は、カバーが閉じた位置にあるときに前記スナップ手段の他方の部分と係合する態様で前記周辺横壁の上方に延在するとともに前記ヒンジ部に向かって突出しており、
前記スナップ手段の下方で前記外側スカート部（５３０）の外面上に外部圧力が加えられたときに、前記外側スカート部が横方向および垂直方向の両方に変形し、前記スナップ手段の一方の部分が外方に旋回し、前記スナップ手段の他方の部分が係合解除して前記カバー（５５０）を外すとともに、前記カバーを開いて前記ヒンジ部の回りで軸支回転させるために押圧する、ことを特徴とする蓋付き容器。
【発明の詳細な説明】
発明の分野
本発明はコンテナつまり容器を密封するための密閉用キャップつまり密閉蓋に関するものである。より詳しくは、本発明は大人により非常に容易に開くことができる密閉蓋に関する。
発明の背景
子供による使用防止用のもので、回して開けて容器から取り外すためには所定の放射状方向つまり半径方向に手で押し込む必要があるスカート部を有した密閉蓋は公知である。この目的に特に適合したネック部を有する容器上でのみ使用できるこの種の密閉部は、米国特許第３，９４１，２６８号に開示されている。ところが、このような密閉蓋は、両手（一方の手で容器を保持し、他方の手で蓋を押し込んで回す）でしか開けられないものである。
同様に、閉じられた位置において下方にスナップ結合できる折り曲げ可能な上部カバーからなる密閉蓋も公知である。カバーを外して容器を開けるためには、その上部に圧力を加えてその両端を変形させてスナップ結合しない状態にする必要がある。このタイプの密閉部は、一例を挙げれば、米国特許第３，６１２，３２２号（図１８から図２０を参照）、第３，９３４，７４５号（図３および図４を参照）、第３、８４５，８７２号および第４，５３５，９０５号に開示されている。
このような既存の密閉蓋があるにも拘らず、どのような種類の容器にも、特別な適合なしに、有用且つ容易に使用できる密閉蓋に対する必要性が依然としてある。本明細書において使用される「有用且つ容易に使用できる」の表現は、大人や高年者が蓋を容易に開くことができることを意味する。
また、開けられたときには容器から取り外すことができず（米国特許第３，９４１，２６８号の蓋のように）、従って、容器が開けられた際に紛失する恐れつまりリスクがない、密閉蓋に対する必要性がある。
さらに、非常に信頼性が高く、片手だけで容易に開くことができる、子供による使用防止用の密閉蓋に対する必要性がある。
さらに、暗い場合、あるいは視覚に障害のある人でも容易に開けることができる蓋に対する必要性がある。
ＤＥ−Ａ−３  ６２５  ４７７には、容器のネック部に接続可能な内側スカート部、内側スカート部の上方でこれから所定の距離だけ外方に延在する外側スカート部、およびヒンジにより外側スカート部に取り付けられたカバーを有する密閉蓋が開示されている。内側および外側スカート部は、これらの上側部分の間に延在する周辺横壁を経て互いに接続されている。カバーを閉じた位置において取り外し自在に固定するためにスナップ手段が設けられている。スナップ手段は外側スカート部において切り取られるとともにヒンジに対して９０°の角度でそれぞれ位置決めされた一対の対向するフィンガを有している。フィンガはこれらの上に圧力が印加されたときには、放射状に内方に曲ってカバーを解放し、次いで手動で上に折り曲げられる。
ＵＳ−Ａ−５，５７３，１２７には、内側スカート部、内側スカート部の上方でこれから所定の距離で外方に延在した外側スカート部、およびヒンジにより外側スカート部に取り付けられたカバーを有する蓋が開示されている。内側および外側スカート部は、これらの上側部分の間に延在する周辺横壁により互いに接続されている。カバーを開いた位置にするために押すために手段が設けられている。これらの手段は、外側スカート部および周辺横溝の両方において切り取られるとともに内側スカート部の底部に回転可能に接続されたフィンガから構成される。このフィンガはその上に圧力が印加されたときには、放射状に内方に曲り、またその上端部がカムの機能をしてカバーを上に押す。
これらの蓋は共に興味のあるものであるが、いずれも上記の必要性を満たすものではない。
発明の要約
本発明の目的は、上記の必要性を満たす密閉蓋を提供することにある。
より詳しくは、本発明は、概略的には、ネック部によって囲まれる開口部を有する容器を密封するための密閉蓋を提供するものである。この蓋は、ネック部上に外部から嵌め合せるために形状付けおよび寸法付けされた内側スカート部を有している。この内側スカート部は上側部分および下側部分を有している。
取り付け手段が設けられている。この取り付け手段は、内側スカート部に一体であり、また、内側スカート部をその上に、好ましくは取り外しできない態様で、固定するために、ネック部上に設けられた対応する取り付け手段と協働するように工夫されている。
蓋はまた、内側スカート部から突出した外側スカート部を有している。この外側スカート部は、上側部分、下側部分および外面を有している。外部スカート部は弾性的に可撓性がある材料から作られており、またその外面に外部圧力が印加されたときに変形できるものである。外側スカート部は、内側スカート部の上方で内側スカート部から所定の距離において延在しており、これにより、これらの間にギャップつまり隙間が形成される。
蓋はさらに、容器の開口部を閉じるために形状付けおよび寸法付けされたカバーを有している。このカバーは、ヒンジ部により外側スカート部に取り付けられるとともにヒンジ部の回りで、つまりヒンジ部を中心として上方および下方に折り曲げ自在である周辺縁部を有している。
カバーを容器のネック部の上方で下方に折り曲げて閉じた位置において解放自在にロックつまり固定するために、スナップ手段つまりスナップ結合手段が設けられている。これらのスナップ手段は蓋上においてカバーのヒンジ部に対して対向する位置に配置されており、また外側スカート部の上側部分に一体である一方の部分、およびカバーに一体である他方の部分を有している。外側スカート部に一体であるスナップ手段の一方の部分は、外側スカート部の下側部分の外面上の適宜な位置に外部圧力が印加されたときに、スナップ手段の他方の部分を移動させて分離させ、これによりカバーを外すことができるように、位置決めおよび工夫されている。
実際には、外側スカート部は、内側スカート部の上側部分あるいは前記内側スカート部の下側部分のいずれかに接続される。
請求の範囲に記載された本発明は、これら２つの実施形態の第１のもの、すなわち、同様な弾性的に可撓性がある材料で作られた周辺横壁により内側スカート部の上側部分に接続された上側部分を外側スカート部が有するものに限定されている。
この特定の実施形態においては、外側スカート部の上側部分に一体であるスナップ手段の一方の部分は、カバーが閉じた位置にあるときにスナップ手段の他方の部分に係合する態様で、周辺横壁の上方を延在しヒンジ部に向かって突出している。この結果、スナップ手段の下に位置する外側スカート部の外面上に外部圧力が印加されたときには、外側スカート部は横方向および垂直方向に変形し、このため、スナップ手段の一方の部分が外方に旋回し、スナップ手段の他方の部分から係合解除つまり外れてカバーを解放し、同時にこのカバーを上に開いてヒンジ部の回りで軸支回転するために押圧する。
使用の際、密閉蓋は容器のネック部に取り付けられ、また容器の開口部を閉じるためにカバーはスナップ手段により閉じた位置に保持される。カバーを外すためには外側スカート部の外面の適切な場所に十分な圧力を加えるだけで良い。
【図面の簡単な説明】
図１は、本発明の第１の実施形態による密閉蓋の部分的な斜視図であり、
図２は、図１の蓋が、容器のネック部上に設置された状態を示した、側面図的で、部分的な断面図であり、
図３は、蓋が閉じた状態を示した、図１に類似した説明図であり、
図４は、図３のＩＶ−ＩＶに沿った一部の、断面図であり、
図５は、圧力が加えられたときの外側スカート部の放射状つまり半径方向の変形を強調した、図１の蓋の図式的な説明図であり、
図６は、圧力が加えられたときの外側スカート部の垂直方向の変形を強調した、図１の蓋の図式的な説明図であり、
図７は、本発明の第２の実施形態による密閉蓋の斜視図であり、
図８は、本発明の第３の実施形態による密閉蓋の断面図であり、
図９は、本発明の第４の実施形態による密閉蓋の断面図であり、
図１０は、本発明の第５の実施形態による密閉蓋の断面図であり、
図１１は、本発明の第６の実施形態による密閉蓋の断面図である。
いくつかの好ましい実施形態の説明
図１から図６に示された本発明の第１の実施形態による蓋１０は、容器６０の開口部を閉じるために使用されることを意図したものである。
図２および図３に示された容器６０は、従来の形状ものであり、またネック部６２により囲まれた開口部を有している。
蓋１０は、内側スカート部２０および外側スカート部３０を有している。内側スカート部２０は、上側部分および下側部分を有しており、またネック部６２の上に外側から嵌め合せるために形状付けおよび寸法付けされている。取り外し自在あるいは取り外しできない態様で容器６０に蓋１０を固定するために、内側スカート部２０には、内側スカート部２０と一体である取り付け手段が設けられている。これらの取り付け手段は、ネック部６２上に設けられた対応する取り付け手段と協働する。図２に示されたように、取り外しできない取り付け手段は、１以上の周辺のビードつまり玉縁２２、あるいは連続した小さなバンプつまり隆起から構成され、内側スカート部２０の内面上およびネック部６２の外面上に、互いが内側に形成される態様で設けられる。しかしながら、当業技術分野において公知である他の種類の取り付け手段を代わりに使用できる。取り外し自在な取り付け手段はねじ締め機構から構成される。
図１から図６に示したように、外側スカート部３０は好ましくは管状の形状つまり管形である。しかしながら、外側スカート部３０は他の形状でも良い。よって、例えば、外側スカート部３０は、圧力が加えられる２つの平面から構成することもできる。
この外側スカート部３０は、内側スカート部２０の上側部分に接続されるとともにこの部分から突出している。外側スカート部３０は、内側スカート部２０をの上方でここから所定の距離に延在しており、これにより、これと容器６０のネック部６２との間にギャップつまり隙間が規定される。
図１に良く示した通り、外側スカート部３０は、好都合なことに、周辺横壁２７によって内側スカート部２０の上側部分に接続される。この壁２７は、外側スカート部３０上に加えられた圧力により引き起こされた力を伝える。壁２７のいくつかの部分２６は、好都合なことに、切り取られている。このような切り取られた部分２６は、以下により詳しく説明するように、ヒンジ部６４およびスナップ手段３１の両方からそれぞれ実質的に同じ距離で位置決めつまり配置される。
蓋１０はまた、容器１０の開口部を閉じるために形状付けおよび寸法付けされたカバー５０を有している。カバー５０は、ヒンジ部５４（図４に示されている）により外側スカート部３０に取り付けられた周辺縁部５２を有している。カバー５０はこのヒンジ部５４の回りで上下に折り曲げ自在である。
図１、図２、および図４に例示したように、内側スカート部２０には、内側に突出するとともに前記容器の開口部を部分的に閉塞する仕切り要素２８が設けられている。仕切り要素２８は、周辺横壁２７に延在しており、また容器６０に満たされる製品（例えば、固体、液体、コロイド状物など）のテクスチャつまり粒度組成に応じて好ましく寸法付けおよび形状付けされたオリフィスつまり穴２９を有しており、容器６０を使用する際にこれら製品が良好に流出できるようになっている。このような場合、カバーが閉じた位置にあるときに仕切り要素２８の開口部のオリフィス２９の周辺を密封するように形状付けおよび寸法付けされた密封リング５８をカバー５０の内面に設けることが好ましい。オリフィス２９を密封するために、カバー５０および／または仕切り要素２８にはまた、密封リングのような、なんらかの密封機構を設けることができる。これは当業分野において公知であり、さらに説明しない。
カバー５０は、容器６０のネック部６２上で下方に折り曲げられたときには、従来構造のスナップ手段３１により、閉じた位置に解放自在にロックされる（図２、図３あるいは図４を参照）。図１から図６に示された実施形態において、スナップ手段３１およびヒンジ部５４は放射状つまり半径方向に対向する位置に配置されている。図４からより良く分かるように、スナップ手段３１は外側スカート部３０の上側部分に一体である一方の部分３２と、蓋５０に一体である他方の部分５６をそれぞれ有している。
外側スカート部３０は、好ましくはプラスチック材料である、弾性的に可撓性であってその外面上に外部圧力が加えられたときに変形することができる材料から作られている。
外側スカート部３０の上側部分に一体であるスナップ手段３１の部分３２は、外側スカート部３０の下側部分の外面上の適切な場所に外部圧力が加えられたときに、スナップ手段３１の他方の部分５６を移動させて非係合つまり分離させ、これにより、カバー５０を外すつまり解放することができるように、位置決めおよび工夫されている。
スナップ手段３１の下で外側スカート部３０の外面上には、カバー５０を外すために外部圧力を加えなければならない適切な場所の位置を印付けするために、マーキング手段つまり印付け手段が設けられている。このようなマーキング手段は、外側スカート部３０の外面の内側に作られた溝３６から構成することができる。これらはまた、暗い場合でも触ることができて目立つように、外側スカート部３０の外面のテクスチャつまり質感の変化でも構成できる。あるいは、これらは、窪み、あるいは単に色付けした斑点でも構成できる。
図１に良く示されたように、外側スカート部３０の一部は上方に突出しており、これによりカバー５０の周辺縁部５２が少なくとも部分的に覆われており、これにより、カバー５０と外側スカート部３０の間のジョイント部つまり接合部がアクセスつまり接近できないようになっている。このようなデザインは、子供が容器を無理に開こうとしてカバーを把持することが防止されるので好ましい。カバー５０と外側スカート部３０の間を規定する輪郭線はどのようなデザインでも良い。
使用の際には、密閉蓋１０は容器６０のネック部上にスナップつまりスナップ結合あるいは固定され、またカバー５０はスナップ手段３１により閉じた位置に保持される。カバー５０を外すためには、外側スカート部３０の外面上でヒンジ部の下側で印が付けられた適切な場所の上に十分な圧力を加えるだけで良い。図３に例示されたように、この適切な場所はスナップ手段３２の下側である。ユーザが圧力を加えた結果としての内側スカート部３０の変形は、外側スカート部３０と内側スカート部２０および／または容器６０のネック部６２の外面との間の隙間によって可能となる。カバー５０を閉じるためには、これを容器６０のネック部６２上で下方に折り曲げ、またカバー５０の上部に十分な圧力を加えることでスナップ手段の２つの部分３２と５６に係合させるだけで良い。横壁２７内の溝付き部分２６は、これを設けた場合には、外側スカート部３０の変形を容易化する。
必要ならば、蓋の使用法の短い説明または絵文字を適当な場所に印刷ないし押印することもできる。
図５および図６は、外側スリーブ部３０が押圧されたときにおける外側スリーブ部の放射状つまり半径方向の変形および垂直方向の変形を誇張して図式的に示したものである。このような変形によりスナップ部分３２が外方に旋回ないし回転して、カバー５０の対応するスナップ部分から外れるようになる。一方、図６において蓋の垂直方向の変形により、カバー５０は上方に押されてそのヒンジ部５４の回りを枢軸回転する。
外側スカート部３０は、その変形をさらに容易化するために、厚さを減じた部分を有する構成とすることもできる。このような部分は、ヒンジ部５４およびスナップ手段３１の両方から実質的に同じ距離に周辺的ないし周辺状に設けることができる。
なお、このような実施形態とすれば小さな子供が蓋１０を開けることが非常に難しくなり、よって安全性が改善される。
図７に示した本発明の第２の実施形態による蓋１１０は、その外側スカート部１３０の変形を容易化するために厚さを減じた部分を設けることに代えて、ヒンジ部１５４およびスナップ手段１３１の両方から実質的に同じ距離で周辺的つまり周辺状に溝付き部分１３６を設けた点を除いて、図１から図６に示した蓋と同様である。
この第２の実施形態によれば、カバー１５０の周辺縁部１５２および外側スカート部１３０の上側部分は、カバーが閉じた位置にロックされたときに平滑つまり滑らかな外面を一緒に規定するために好ましくは同様にスナップ結合され、これにより、子供がカバー１５０を把持して容器を無理に開けることが防止され、これにより蓋１１０の安全性が改善される。
この第２の実施形態では、蓋はさらに、オリフィス１２９を密封するためにカバー１５０の内面上に設けられたピン１５１を有している。このピン１５１は、蓋１１０の仕切り要素１２８上に設けられたオリフィス１２９内に嵌め合わされるように形状付けおよび寸法付けされている。この構成は、図７に一例を例示したように、このオリフィスが小さい直径であるときにオリフィス１２９を密封するために特に有用である。
図８に示された本発明の第３の実施形態による蓋３１０は、その外側スカート部３３０の下側部分が内側スカート部３２０の下側部分に接続されるとともにこれから上方に突出している点を除いて、図１から図７に示された蓋と同様である。本実施形態は現在の請求の範囲から除かれている。上記例と同様に、内側スカート部２２０と外側スカート部３３０との間には十分な隙間３２４が設けられており、スナップ手段３３１の分離およびカバー３５０の解除つまり取り外しは、外側スカート部３３０上に十分な圧力（破線で示した）を加えることで行われる。
図９に示された本発明の第４の実施形態による蓋３１０は、内側スカート部３２０と他のスカート部３３０との間に放射状つまり半径方向の補強用のリブ３４０を有する点を除いて、図１から図８に示された蓋と同様である。これらのリブ３４０は、好ましいことに、ヒンジ部３５４とスナップ手段（図示せず）との間に延在する軸ＡＡに対して約４５°の最適な角度で延在する直線に沿って配置されている。
図１０に示された本発明の第５の実施形態による蓋４１０は、スナップ手段が少なくとも２つの別々の構成要素のセットつまり組を有してなる点を除いて、図１から図９に示された蓋と同様である。各セットは、外側スカート部４３０の上側部分に一体である一方の部分４３２′あるいは４３２′′、およびカバー４５０に一体である他方の部分４５６′あるいは４６５′′を有している。これら２つの別々のセットは、互いに周辺的つまり周辺状に離間している。これら２つの別々のセットおよびヒンジ部４５４は実質的に対向した位置に配置されている。カバー４５０を外すために外部圧力を加えなければならない適切な場所の位置をマークつまり印付けするために、外側スカート部４３０の外面内に窪み４３６が設けられている。図示したように、この窪み４３６は２つの別々の構成要素の間に位置決めされている。
図１１に示された本発明の第６の実施形態による蓋５１０は、これが容器５６０自体と一体に作られている点を除いて、図１から図１０に示された蓋と同様である。図１１に示したように、容器５６０には、その上側部分が内側スカート部５２０と一体である、管状の壁５６４が設けられている。壁５６４の上側部分によって蓋５１０が容器５８０に固定されているので、密閉蓋５１０をその上に固定するために容器５８０にネック部分あるいは取り付け手段を設ける必要がない。この実施の形態によれば、有用で容易に開くことができる密閉システムを有する、一体型の容器５６０を提供できる。蓋５１０には、好ましくは、内側スカート部５２０、外側スカート部５３０、蓋５５０、仕切り壁５２８、スナップ手段５３１、などに関連した先に説明した各実施形態の１つ以上のものを設けることができる。当然であるが、内側スカート部５２０を規定する容器の少なくとも上側部分は、図１から図１０に示された密閉蓋の製造に対して上記で説明した可撓性材料で作る必要がある。
上記で説明したすべての密閉蓋は、いずれかの種類のプラスチック材料で一体で成形できる。これは当業分野においては公知でありさらに説明しない。
【図１】
0004044144.tif 000002
【図２】
0004044144.tif 000003
【図３】
0004044144.tif 000004
【図４】
0004044144.tif 000005
【図５】
0004044144.tif 000006
【図６】
0004044144.tif 000007
【図７】
0004044144.tif 000008
【図８】
0004044144.tif 000009
【図９】
0004044144.tif 000010
【図１０】
0004044144.tif 000011
【図１１】
0004044144.tif 000012